(57)【要約】  【課題】第２収納空間の機密性を損なうことなく、構造の簡素化と第２収納空間へのアクセスの容易性を確保した新規有用な収納ユニットを提供する。  【解決手段】第１開閉部材２によって開閉される第１収納空間１１と、この第１収納空間１１に臨む部位に位置づけられて第２開閉部材３によって第１収納空間１１と連通する部位に開閉される第２収納空間１２と、第１開閉部材２を閉止位置に選択的にロックする第１ロック手段４と、第２開閉部材３を閉止位置に選択的にロックする第２ロック手段５とを具備し、この第２ロック手段５は、第１ロック手段４が第１開閉部材２をロック解除している状態では第２開閉部材３のロック解除のみを行い、第１ロック手段４が第１開閉部材２をロックしている状態では第２開閉部材３のロック解除とともに第１ロック手段４の少なくとも一部を利用して第１開閉部材２のロック解除を行うように構成したものである。  【選択図】図１
2006063646.tif 000002
【特許請求の範囲】
【請求項１】
第１開閉部材によって開閉される第１収納空間と、この第１収納空間に臨む部位に位置づけられて第２開閉部材によって前記第１収納空間と連通する部位に開閉される第２収納空間と、前記第１開閉部材を閉止位置に選択的にロックする第１ロック手段と、前記第２開閉部材を閉止位置に選択的にロックする第２ロック手段とを具備し、この第２ロック手段は、前記第１ロック手段が第１開閉部材をロック解除している状態では前記第２開閉部材のロック解除のみを行い、前記第１ロック手段が第１開閉部材をロックしている状態では前記第２開閉部材のロック解除とともに前記第１ロック手段の少なくとも一部を利用して第１開閉部材のロック解除を行うように構成されていることを特徴とする収納ユニット。
【請求項２】
第１ロック手段が電子情報の入力をロック解除条件として要求し、第２ロック手段が物理的な鍵の入力操作をロック解除条件として要求する請求項１記載の収納ユニット。
【請求項３】
第１ロック手段が電動アクチュエータを動力源とし、第２ロック手段が錠による操作力を動力源とする請求項２記載の収納ユニット。
【請求項４】
第２ロック手段は、第１ロック手段の一部の動力伝達要素に働いて当該第１ロック手段にロック解除動作と同じ動作を引き起こすものである請求項１〜３記載の収納ユニット。
【請求項５】
第１ロック手段は、電動アクチュエータと、閉止位置にある第１開閉部材に選択的に係合する係合部材と、電動アクチュエータの動作を係合部材に伝達する動力伝達要素とを具備し、第２ロック手段は、シリンダ錠と、このシリンダ錠の動作を前記係合部材又は前記動力伝達要素に伝達するカムとを具備する請求項４記載の収納ユニット。
【請求項６】
前方に開口する筐体と、この筐体内に着脱可能に配置されて内部を第１収納空間と第２収納空間とに区画する仕切り部材とを具備し、この仕切り部材が第２開閉部材としての役割を果たし、第１収納空間の前方に第１開閉部材たる扉を配置したものであって、第１ロック手段を構成する係合部材は水平移動によって閉止位置にある扉に選択的に係合し、第２ロック手段を構成するカムは回転移動によって閉止位置にある仕切り部材に選択的に係合し、かつこのカムは前記第１ロック手段の係合部材を水平移動させ得るものである請求項５記載の収納ユニット。
【請求項７】
仕切り部材が、起立壁と、この起立壁の下端側に位置する規制部と、該起立壁の上端側に位置する傾動防止壁とを備え、水平移動により第２収納空間を開閉するものであって、カムが前記規制部に選択的に係合するように構成している請求項６記載の収納ユニット。
【請求項８】
第１収納空間がファイル等を収納する共有空間であり、第２収納空間が第１収納空間を制御する制御盤等を収納する管理空間である請求項１〜７記載の収納ユニット。
【発明の詳細な説明】
【技術分野】
【０００１】
本発明は、第２収納空間へのアクセスの容易性を確保する簡素な二重ロック構造を有した収納ユニットに関するものである。
【背景技術】
【０００２】
従来、２つの収納空間を有するような種々の器械、器具、装置は遍く存在する。このうち、第１収納空間よりも第２収納空間の機密性が高く、第１収納空間のみにアクセスできる者と、第２収納空間にまでアクセスできる者とを区別したい場合等は、先ず外部から第１収納空間の扉を鍵で開錠できるようにし、更に開成した第１収納空間において第２収納空間の扉を別の鍵で開錠することによって始めて第２収納空間にアクセスできるように構成することは常套手段であり、敢えて例示するまでもない。
【発明の開示】
【発明が解決しようとする課題】
【０００３】
ところが、このように構成すると、第２収納空間にアクセスするためには、第１収納空間にアクセスするための第１ロック手段の解除と、第２収納空間にアクセスするための第２ロック手段の解除という２つの操作をそれぞれ行わなければならない。このため、第２収納空間の利用が煩雑になるという問題がある。
【０００４】
これに対し、第２収納空間の機密性を保ちつつ、第２ロック手段によって第２開閉部材のみならず第１開閉部材をもロック解除できるように構成することも有効な手段として考えられるが、このような第２ロック手段の構成を単に第１ロック手段と全く別途に構成したのでは、全体がリンクを多様に使った複雑な構造にならざるを得なくなる。
【０００５】
本発明は、このような課題に着目してなされたものであって、第２収納空間の機密性を損なうことなく、構造の簡素化と第２収納空間へのアクセスの容易性とを両立させた新規有用な収納ユニットを提供することを目的としている。
【課題を解決するための手段】
【０００６】
本発明は、上記の目的を達成するために、次のような手段を講じたものである。
【０００７】
すなわち、本発明の収納ユニットは、第１開閉部材によって開閉される第１収納空間と、この第１収納空間に臨む部位に位置づけられて第２開閉部材によって前記第１収納空間と連通する部位に開閉される第２収納空間と、前記第１開閉部材を閉止位置に選択的にロックする第１ロック手段と、前記第２開閉部材を閉止位置に選択的にロックする第２ロック手段とを具備し、この第２ロック手段は、前記第１ロック手段が第１開閉部材をロック解除している状態では前記第２開閉部材のロック解除のみを行い、前記第１ロック手段が第１開閉部材をロックしている状態では前記第２開閉部材のロック解除とともに前記第１ロック手段の少なくとも一部を利用して第１開閉部材のロック解除を行うように構成されていることを特徴とする。
【０００８】
このようなものであると、第１、第２ロック手段によって第１、第２開閉部材を閉止位置にロックしている状態から、第１ロック手段によって第１開閉部材をロック解除すれば、第１収納空間へアクセスすることができる。この場合、第２開閉部材は依然としてロック状態にあるため、第２収納空間へのアクセスは禁止され、機密性が確保される。一方、この状態から第２ロック手段によって第２開閉部材をロック解除すれば、第２収納空間へアクセスすることができる。他方、第１、第２ロック手段によって第１、第２開閉部材を閉止位置にロックしている状態から、第２ロック手段によって第２開閉部材を第１開閉部材とともにロック解除すれば、第１収納空間を介して第２収納空間にアクセスすることができる。
【０００９】
このように、本発明は、第２収納空間を第１収納空間に連通する部位に開閉する構成を通じて、第１収納空間が開かなければ第２収納空間にアクセスできないという二重ロック構造をとりながら、例えば第１ロック手段のロック解除権限を一般利用者に付与し、第２ロック手段のロック解除権限を収納ユニットの管理者に付与すれば、管理者は第１、第２開閉部材が閉止位置にロックされている状態からでも、第２収納空間に簡易にアクセスすることができる。しかも、第２ロック手段は第１ロック手段の少なくとも一部を利用して第１開閉部材のロック解除を行うように構成しているため、リンクを多様に使って構造が複雑になることも有効に回避することが可能となる。
【００１０】
第２収納空間の機密性を実効あるものにするためには、第１ロック手段が電子情報の入力をロック解除条件として要求するのに対して、第２ロック手段が物理的な鍵の入力操作をロック解除条件として要求するものとして、電子的な不正手段によっては第２収納空間にアクセスできない構成にしておくことが好適である。
【００１１】
この場合の具体的な実施の態様としては、第１ロック手段が電動アクチュエータを動力源とし、第２ロック手段が錠による操作力を動力源としているものが挙げられる。
【００１２】
構造の簡素化を図るためには、第２ロック手段は、第１ロック手段の一部の動力伝達要素に働いて当該第１ロック手段にロック解除動作と同じ動作を引き起こすように構成しておくことが望ましい。
【００１３】
例えば、第１ロック手段は、電動アクチュエータと、閉止位置にある第１開閉部材に選択的に係合する係合部材と、電動アクチュエータの動作を係合部材に伝達する動力伝達要素とを具備し、第２ロック手段は、シリンダ錠と、このシリンダ錠の動作を前記係合部材又は動力伝達要素に伝達するカムとを具備する構成としておくのが好適である。
【００１４】
より具体的には、前方に開口する筐体と、この筐体内に着脱可能に配置されて内部を第１収納空間と第２収納空間とに区画する仕切り部材とを具備し、この仕切り部材が第２開閉部材としての役割を果たし、第１収納空間の前方に第１開閉部材たる扉を配置したものであって、第１ロック手段を構成する係合部材は水平移動によって閉止位置にある扉に選択的に係合し、第２ロック手段を構成するカムは回転移動によって閉止位置にある仕切り部材に選択的に係合し、かつこのカムは前記第１ロック手段の係合部材を水平移動させ得るように構成しているものが挙げられる。
【００１５】
仕切り部材が傾倒されてこじ開けられることを防止するためには、当該仕切り部材が、起立壁と、この起立壁の下端側に位置する規制部と、該起立壁の上端側に位置する傾動防止壁とを備えて、水平移動により第２収納空間を開閉するものであるとともに、カムが前記規制部に選択的に係合するように構成しているものが好適である。
【００１６】
本発明は、以上のような構成であるから、第１収納空間がファイル等を収納する共有空間として利用され、第２収納空間が第１収納空間を制御する制御盤等を収納する管理空間として利用される用途に極めて有用なものとなる。
【発明の効果】
【００１７】
本発明は、以上の構成を通じて、第２収納空間の機密性を損なうことなく、構造の簡素化と第２収納空間への権限ある者のアクセスの容易性を確保し、これによりオフィス等において第１収納空間に収納するファイル等の出し入れを第２収納空間に収納した制御盤で管理する用途等に極めて有用となる収納ユニットを提供することが可能となる。
【発明を実施するための最良の形態】
【００１８】
以下、本発明の一実施形態を、図面を参照して説明する。
【００１９】
図１は、この実施形態に係る収納ユニットＵを示す斜視図であり、図２、図３は、その収納ユニットＵの平面図、正面図である。さらに、図４は、前記図２に示されたＡ−Ａ線における拡大断面図であり、図５は、前記図３に示されたＢ−Ｂ線における拡大断面図である。ただし、説明の便宜上、図１は、後述する筐体１及び固定パネル６を透視した状態にして、これらを破線にて表示している。図２は、前記筐体１及び前記固定６パネルを一部断面にし、後述する扉２を二点鎖線で表示している。図３は、前記筐体１を一部断面にし、前記固定パネル６及び前記扉２を二点鎖線で表示している。
【００２０】
この実施形態の収納ユニットＵは、オフィス等において第１収納空間１１に収納するファイルＦ等の出し入れを第２収納空間１２に収納した制御盤（図示省略）で管理するために使用される。例えば、ファイルＦに無線通信を通じて少なくとも電子情報の読み取りが可能な電子媒体ｒを付帯させておき、利用者のＩＤカード７から利用者情報を取得するとともにファイルＦの出し入れ時に前記電子媒体ｒからファイル情報を取得して、ファイルＦの持ち出し状況や在庫状況を管理するものである。
【００２１】
その際、第１収納空間１１にはＩＤカード７を所持している社員等のみがアクセスでき、第２収納空間１２には物理的な鍵８を所持している収納ユニットＵの管理者のみがアクセスできるように、図１に示す収納ユニットＵに次のような構造を採用している。
【００２２】
すなわち収納ユニットＵは、図１から図３に示すように、前方に開口する筐体１の内部に第１収納空間１１及び第２収納空間１２を形成し、第１収納空間１１を開閉する位置に第１開閉部材たる扉２を配置し、第２収納空間１２を開閉する位置に第２開閉部材たる仕切り部材３を配置するとともに、これらを閉止位置に選択的にロックする第１ロック手段４及び第２ロック手段５を設けてなる。
【００２３】
具体的に説明すると、筐体１は、頂壁１３、底壁１４、左右の側壁１５及び背壁１７を具備してなるもので、幅方向の右よりに位置づけて内部に窓１８１を有する隔壁１８を形成している。そして、この隔壁１８の窓１８１に仕切り部材３を着脱可能に配置し、仕切り部材３の左側をファイル等の共有空間として利用される第１収納空間１１、右側を制御盤等の管理空間として利用される第２収納空間１２としている。
【００２４】
扉２は、前記第１収納空間１１をフラップ動作によって開閉し得るもので、上端に設けた軸２１を、筐体１の側壁１５及び隔壁１８にそれぞれ設けたガイド溝１９を介して当該筐体１に支持させている。この軸２１がガイド溝１９の前端に位置するときに扉２は回転可能となり、扉２を軸２１を支点に略水平姿勢にまで回転させた状態で押し込むことによって軸２１がガイド溝１９の奥方に移動し、扉２は頂壁１３の下面に重合する状態で収納される。なお、図示していないが、軸２１から変位した部位には当該軸２１とともにガイド溝１９に係合して収納位置にある扉２が回転することを禁止するスライダが設けられる。
【００２５】
仕切り部材３は、起立壁３１と、この起立壁３１の下端側に位置する規制部３２と、該起立壁３１の上端側に位置する傾動防止壁３３とを備え、水平移動により前記隔壁１８の窓１８１に着脱して、第２収納空間１２を第１収納空間１１に連通する部位に開閉するものである。規制部３２は、図４及び図５に示すように、上部を開放した扁平な箱型のもので、その底壁３２１には後述するカム５２を挿入するスリット３２１ａが設けてある。図１に示す傾動防止壁３３は隔壁１８の下向面と一定範囲に亘り当接して、起立壁３１の傾倒を禁止する。なお、この仕切り部材３は、閉止位置で前記隔壁１８の一部にねじ止めされるようにしてある。
【００２６】
第１ロック手段４は、電動アクチュエータ４１と、閉止位置にある第１開閉部材たる扉２に選択的に係合する係合部材４２と、電動アクチュエータ４１の動作を係合部材４２に伝達する動力伝達要素４３とを具備する。電動アクチュエータ４１はソレノイドを利用したもので、通電により作動し、非通電時におけるセルフロック機能は備えないものである。係合部材４２は筐体１の側壁１５及び第２収納空間１２にそれぞれ配置した起立メンバ４３１ａに設けた突起状のものであり、当該起立メンバ４３１ａは扉２の左右の側縁２３に対して接離可能に支持され、これにより前記係合部材４２が閉止位置にある扉２の側縁２３に設けた凹部２３１に選択的に係合するようにしている。前記動力伝達要素４３は、起立メンバ４３１ａを一部に有するＬ字状のスライドメンバ４３１と、これらのスライドメンバ４３１に一端を接続したリンクメンバ４３２と、鉛直軸４３３回りに回転可能に支持されて前記リンクメンバ４３２の他端を鉛直軸４３３から変位した部位に接続した回転部材４３４とを具備し、この回転部材４３４に対して前記電動アクチュエータ４１を、前記両スライドメンバ４３１を互いに離反する方向（ロック解除方向）に駆動し得る部位に接続している。なお、前記スライドメンバ４３１は、バネ４３５によって常時相寄る方向に付勢してあり、前記電動アクチュエータ４１が作動しない状態で図２に実線で示すように閉止位置にある扉２に係合部材４２を係合させてロック状態にしておくことができる。図３において符号４３１ｘで示すものはスライドメンバ４３１を水平方向にガイドするための長孔及びピンからなるガイド部である。
【００２７】
第２ロック手段５は、図１〜図３に示すように、シリンダ錠５１と、このシリンダ錠５１の動作を前記動力伝達要素４３に伝達するカム５２とを具備する。シリンダ錠５１は、第２収納空間１２の前面を閉止する固定パネル６に取り付けたもので、前面から鍵８を差し込み、内方端に取り付けた前記カム５２を回転操作可能にしている。カム５２は、図４及び図５に示すように、シリンダ錠５１の回転軸５１１に取り付けられて、先端５２ａを回転軸５１１からラジアル方向に突出させてなるもので、回転移動によって閉止位置にある仕切り部材３の規制部３２に設けたスリット３２１ａに選択的に侵入して、仕切り部材３が開成方向にスライド移動することを禁止する。また、このカム５２は基端５２ｂを前記先端５２ａとは逆向きに回転軸５１１から若干突出させており、この基端５２ｂを、前記スライドメンバ４３１の一部から側方にＬ字状に突出させた当接片４３１ｂに当接させて、先端５２ａが規制部３２との係合を解除した図４に想像線で示す状態でこの当接片４３１ｂを付勢し、前記スライドメンバ４３１を離反方向に水平移動させて、係合部材４２を介して扉２をロック解除し得るようにしている。ただし、前記スライドメンバ４３１が先に第１ロック手段４によってロック解除方向に移動している場合は単に遊動動作となる。
【００２８】
すなわち、第２ロック手段５は、第１ロック手段４が第１開閉部材である扉２をロック解除している状態では第２開閉部材である仕切り部材３のロック解除のみを行い、第１ロック手段４が扉２をロックしている状態では仕切り部材３のロック解除とともに第１ロック手段４の一部を利用して前記扉２のロック解除をも行うことができるものである。
【００２９】
このようなものであると、第１、第２ロック手段４、５によって第１開閉部材である扉２及び第２開閉部材である仕切り部材３を閉止位置にロックしている状態から、第１ロック手段４によって扉２をロック解除すれば、第１収納空間１１へアクセスすることができる。この場合、仕切り部材３は依然としてロック状態にあるため、第２収納空間１２へのアクセスは禁止され、第２収納空間１２の機密性が確保される。一方、この状態から第２ロック手段５によって仕切り部材３をロック解除すれば、第２収納空間１２へ始めてアクセスすることができる。他方、第１、第２ロック手段４、５によって扉２及び仕切り部材３を閉止位置にロックしている状態から、第２ロック手段５によって仕切り部材３を扉２とともにロック解除すれば、第１収納空間１１を介して第２収納空間１２にアクセスすることができる。
【００３０】
このように、本実施形態は、第２収納空間１２を第１収納空間１１に連通する部位に開閉する構成を通じて、第１収納空間１１が開かなければ第２収納空間１２にアクセスできないという二重ロック構造をとりながら、第１ロック手段４のロック解除権限を与えるＩＤカード７を社員に付与し、第２ロック手段５のロック解除権限を与える物理的な鍵８を収納ユニットＵの管理者に付与すれば、管理者は第１、第２開閉部材である扉２及び仕切り部材３が閉止位置にロックされている状態からでも、第２収納空間１２に簡易にアクセスすることができる。しかも、第２ロック手段５は第１ロック手段４の少なくとも一部を利用して第１開閉部材である扉２のロック解除を行うように構成しているため、リンクを多様に使って構造が複雑になることも有効に回避することが可能となる。
【００３１】
また、第１ロック手段４が電子情報の入力をロック解除条件として要求するのに対して、第２ロック手段５が物理的な鍵８の入力操作をロック解除条件として要求するものであるので、現に鍵８を所持している者のみが第２収納空間１２にアクセスすることができ、電子的な不正手段等によって第２収納空間１２にアクセスする行為は完全に排除されるため、第２収納空間１２の機密性を実効あるものにしておくことができる。
【００３２】
この場合の具体的な実施の態様として、第１ロック手段４の動力源に電動アクチュエータ４１を採用し、第２ロック手段５の動力源にシリンダ錠５１を使って実際に入力される操作力を利用するようにしているので、故障時や停電時にも第２収納空間１２を第１収納空間１１とともに確実にロック解除することができ、収納ユニットＵの保守を確実ならしめることができる。
【００３３】
第２ロック手段５は、本実施形態では第１ロック手段４の一部の動力伝達要素４３であるリンクメンバ４３２に当接片４３１ｂを介し働いて当該第１ロック手段４にロック解除動作と同じ動作を引き起こす構成であるため、第１収納空間１１をロック解除するための格別の要素部品を殆ど必要とせず、構造及び部品点数の簡素化を図ることができる。
【００３４】
すなわち、第１ロック手段４は、電動アクチュエータ４１と、閉止位置にある第１開閉部材たる扉２に選択的に係合する係合部材４２と、電動アクチュエータ４１の動作を係合部材４２に伝達する動力伝達要素４３とを具備するのに対して、第２ロック手段５は、シリンダ錠５１と、このシリンダ錠５１の動作を係合部材４２及び／又は動力伝達要素４３に伝達するカム５２とを具備するものであって、このカム５２に第２ロック手段５から第１ロック手段４への操作力の伝達を担わせるだけであるため、上記簡素化を有効に実現し得ているものである。
【００３５】
より具体的には、前方に開口する筐体１と、この筐体１内に着脱可能に配置されて内部を第１収納空間１１と第２収納空間１２とに区画する仕切り部材３とを具備し、この仕切り部材３が第２開閉部材としての役割を果たし、第１収納空間１１の前方に第１開閉部材たる扉２を配置したものであり、第１ロック手段４を構成する係合部材４２は水平移動によって閉止位置にある扉２に選択的に係合し、第２ロック手段５を構成するカム５２は回転移動によって閉止位置にある仕切り部材３に選択的に係合し、かつこのカム５２は前記第１ロック手段４の係合部材４２を水平移動させ得るものであるため、多くの複雑な部品を用いることなく、所期の目的を有効に実現することができる。
【００３６】
さらに、仕切り部材３を、起立壁３１と、この起立壁３１の下端側に位置する規制部３２と、該起立壁３１の上端側に位置する傾動防止壁３３とを備え、水平移動により第２収納空間１２を開閉するように構成して、カム５２が前記規制部３２に選択的に係合するようにしているため、仕切り部材３が無理に傾倒されてこじ開けられることを有効に防止することができる。
【００３７】
この収納ユニットＵは以上のような構成であるから、第１収納空間１１がファイル等の共有空間として利用され、第２収納空間１２が第１収納空間１１を制御する制御盤等の管理空間として利用される本実施形態の如き用途に適用して極めて有用なものとなり得る。
【００３８】
なお、各部の具体的構成は、上述した実施形態のみに限定されるものではなく、本発明の趣旨を逸脱しない範囲で種々変形が可能である。
【図面の簡単な説明】
【００３９】
【図１】本発明の一実施形態に係る収納ユニットを示す斜視図。
【図２】同実施形態に係る収納ユニットを示す平面図。
【図３】同実施形態に係る収納ユニットを示す正面図。
【図４】図２におけるＡ−Ａ線拡大断面図。
【図５】図３におけるＢ−Ｂ線拡大断面図。
【符号の説明】
【００４０】
Ｕ…収納ユニット
１…筐体
２…第１開閉部材（扉）
３…第２開閉部材（仕切り部材）
４…第１ロック手段
５…第２ロック手段
８…鍵
１１…第１収納空間
１２…第２収納空間
３１…起立壁
３２…規制部
３３…傾動防止壁
４１…電動アクチュエータ
４２…係合部材
４３…動力伝達要素
５１…シリンダ錠
５２…カム
【図１】
2006063646.tif 000003
【図２】
2006063646.tif 000004
【図３】
2006063646.tif 000005
【図４】
2006063646.tif 000006
【図５】
2006063646.tif 000007